(57)【要約】  異なる光情報記録媒体に対して情報記録及び／又は再生を行うために、耐久性を維持しながらも、光学系の共通化を図ることができる光ピックアップ装置を提供する。第１立ち上げミラーＭ１の方が第２立ち上げミラーＭ２よりも光源に近い。加えて、第１立ち上げミラーＭ１は、青紫色レーザ光である第１光束を反射するミラーであるため、第１光束は、第１立ち上げミラーＭ１で反射される。従って、ＤＶＤ用の第２対物レンズＯＢＪ２に第１光束が入射してしまうことを防止できる。万一、第１光束の一部が、第１立ち上げミラーＭ１を透過したとしても、第２立ち上げミラーＭ２を、第１光束を透過し第２光束を反射するようなミラーとすることで、僅かに漏れ出た第１光束が第２立ち上げミラーＭ２で反射する事を防止できるため、さらに、第２対物レンズＯＢＪ２に第１光束が入射する事を防止できる。
2008114549.tif 000002
【特許請求の範囲】
【請求項１】
波長λ１（３８０ｎｍ≦λ１≦４２０ｎｍ）の第１光束を射出する第１光源と、
波長λ２（５５０ｎｍ≦λ２≦８２０ｎｍ）の第２光束を射出する第２光源と、
前記第１光束を第１光情報記録媒体の情報記録面上に集光する第１対物レンズと、
前記第２光束を第２光情報記録媒体の情報記録面上に集光するプラスチック製の第２対物レンズと、
前記第１光束を反射して前記第１対物レンズに入射させる第１立ち上げミラーと、
前記第２光束を反射して前記第２対物レンズに入射させる第２立ち上げミラーと、を有する光ピックアップ装置であって、
前記第１光源から前記第１光情報記録媒体までの前記第１光束の光路と、前記第２光源から前記第２光情報記録媒体までの前記第２光束の光路は、部分的に共通となっており、
前記第１立ち上げミラーは、前記第１光束と前記第２光束の共通光路に配置され、前記第１光束を反射し、前記第２光束を透過し、
前記第２立ち上げミラーは、前記第２光束の専用光路に配置され、前記第１立ち上げミラーを透過した前記第２光束を反射することを特徴とする光ピックアップ装置。
【請求項２】
前記第２立ち上げミラーは、前記第１光束を透過することを特徴とする請求の範囲第１項に記載の光ピックアップ装置。
【請求項３】
前記第２対物レンズを構成する材料は、波長４０５ｎｍの光束による軸上厚３ｍｍでの透過率が８５％未満であることを特徴とする請求の範囲第１項又は第２項に記載の光ピックアップ装置。
【請求項４】
前記第１対物レンズを構成する材料は、波長４０５ｎｍの光束による軸上厚３ｍｍでの透過率が８５％以上であることを特徴とする請求の範囲第１項乃至第３項のいずれか一項に記載の光ピックアップ装置。
【請求項５】
前記第２光束の波長λ２は、５５０ｎｍ≦λ２≦６８０ｎｍの範囲内であり、更に波長λ３（７５０ｎｍ≦λ３≦８２０ｎｍ）の第３光束を射出する第３光源を有し、
前記第２対物レンズは光路差付与構造を有し、前記第２光束を前記第２光情報記録媒体の情報記録面上に集光すると共に、前記第３光束を第３光情報記録媒体の情報記録面上に集光することを特徴とする請求の範囲第１項乃至第４項のいずれか一項に記載の光ピックアップ装置。
【請求項６】
前記第１対物レンズと前記第２対物レンズは別体であることを特徴とする請求の範囲第１項乃至第５項のいずれか一項に記載の光ピックアップ装置。
【請求項７】
前記第１対物レンズと第２対物レンズは一体化されていることを特徴とする請求の範囲第１項乃至第５項のいずれか一項に記載の光ピックアップ装置。
【請求項８】
コリメートレンズが、前記第１光束と前記第２光束の共通の光路内に設けられていることを特徴とする請求の範囲第１項乃至第７項のいずれか一項に記載の光ピックアップ装置。
【請求項９】
前記第１光源と前記コリメートレンズとの間に設けられ、前記第１光束の一部を透過するミラーと、
前記ミラーの背後に配置され、前記ミラーを透過した第１光束を受光するモニタと、を有することを特徴とする請求の範囲第８項に記載の光ピックアップ装置。
【発明の詳細な説明】
【技術分野】
【０００１】
本発明は、異なる種類の光情報記録媒体（光ディスクともいう）に対して情報の記録及び／又は再生を行う光ピックアップ装置に関する。
【背景技術】
【０００２】
近年、波長４００ｎｍ程度の青紫色半導体レーザを用いて、情報の記録及び／又は再生（以下、「記録及び／又は再生」を「記録／再生」と記載する）を行う高密度光ディスクシステムの研究・開発が急速に進んでいる。一例として、ＮＡ０．８５、光源波長４０５ｎｍの仕様で情報の記録／再生を行う光ディスク、いわゆるＢｌｕ−ｒａｙ Ｄｉｓｃ（以下、ＢＤという）を扱うシステムでは、ＤＶＤ（ＮＡ０．６、光源波長６５０ｎｍ、記憶容量４．７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報の記録／再生を行う光ディスク、いわゆるＨＤ ＤＶＤ（以下、ＨＤという）を扱うシステムでは、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤよりも保護層を薄く設計し（ＤＶＤの０．６ｍｍに対して、０．１ｍｍ）、スキューによるコマ収差量を低減している。以下、本願において、このような光ディスクを「高密度光ディスク」と呼ぶ。【０００３】
また、多種多様な情報を記録したＤＶＤやＣＤ（コンパクトディスク）が販売されている現実をふまえると、一台のプレーヤーで複数種の光ディスクに対して適切に情報の記録／再生ができるようにすることが望まれている。更に、光ピックアップ装置がノート型パソコン等に搭載されることも考慮すると、複数種の光ディスクに対する互換性を有するのみでは足らず、コンパクト化を更に推進する事が重要である。【０００４】
特許文献１には、複数の光学素子を用いて高密度光ディスクとＤＶＤ／ＣＤに対して互換可能に情報の記録／再生を行う光ピックアップ装置が開示されている。
【特許文献１】特開２００４−３１９０６２号公報
【発明の開示】
【発明が解決しようとする課題】
【０００５】
ところで、高密度光ディスク用の青紫色レーザ光は、ＤＶＤ用の赤色レーザ光やＣＤ用の赤外レーザ光に比べ、プラスチックを劣化させやすいという特性がある。このため、特許文献１に開示された高密度光ディスク専用の対物レンズは、ガラスを用いている。又、耐紫外線効果の高い特殊なプラスチックを用いて形成された対物レンズも開発されている。
しかしながら、ガラス製或いは特殊なプラスチック製の対物レンズは、一般的にはコストが高く大量生産に不向きという問題がある。そこで、高密度光ディスクとＤＶＤ／ＣＤに対して互換可能に情報の記録／再生を行う光ピックアップ装置において、高密度光ディスク用の対物レンズと、ＤＶＤ／ＣＤ用の対物レンズとを分けて用いる場合、ＤＶＤ／ＣＤ用の対物レンズには、低コスト化を図るため、安価なプラスチック素材を用いたいという要請がある。【０００６】
また、光ピックアップ装置において、更なる低コスト化とコンパクト化を図るためには、光源から光ディスクまでの光路の共通化を図ることが重要でなる。青紫色レーザ光と赤色又は赤外レーザ光とは、波長が異なるので、これを利用することにより入射した光束を選択的に透過／反射させる選択素子も開発されている。このような選択素子を共通の光路内に配置することで、例えば青紫色レーザ光は透過させ、赤色又は赤外レーザ光は反射させるなどして、光束の分岐を行うことが出来る。このようにすることにより、高密度光ディスク用の対物レンズには青紫色レーザ光を入射させ、ＤＶＤ／ＣＤ用の対物レンズには赤色又は赤外レーザ光を入射させることができる。【０００７】
ところが、本来的には青紫色レーザ光を透過（又は反射）させる機能を有する選択素子でも、製造バラツキなどにより、数％の青紫色レーザ光を反射（又は透過）させる場合がある。かかる場合、洩れた数％の青紫色レーザ光は、ＤＶＤ／ＣＤ用の対物レンズに入射することとなるので、かかる対物レンズを従来のプラスチック素材により形成すると、長時間の使用により対物レンズが劣化してしまう恐れがある。【０００８】
本発明は、かかる従来技術の問題点に鑑みてなされたものであり、異なる光情報記録媒体に対して情報の記録／再生を行うために、耐久性を維持しながらも、光学系の共通化を図ることができる光ピックアップ装置を提供することを目的とする。
【課題を解決するための手段】
【０００９】
本願において、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本願において、高密度光ディスクには、情報の記録／再生用の光源として、青紫色半導体レーザや青紫色ＳＨＧレーザを使用する光磁気ディスクも含まれるものとする。【００１０】
更に、本願において、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。【００１１】
請求の範囲第１項に記載の光ピックアップ装置は、波長λ１（３８０ｎｍ≦λ１≦４２０ｎｍ）の第１光束を射出する第１光源と、波長λ２（５５０ｎｍ≦λ２≦８２０ｎｍ）の第２光束を射出する第２光源と、前記第１光束を第１光情報記録媒体の情報記録面上に集光する第１対物レンズと、前記第２光束を第２光情報記録媒体の情報記録面上に集光するプラスチック製の第２対物レンズと、前記第１光束を反射して前記第１対物レンズに入射させる第１立ち上げミラーと、前記第２光束を反射して前記第２対物レンズに入射させる第２立ち上げミラーと、を有する光ピックアップ装置であって、
前記第１光源から前記第１光情報記録媒体までの前記第１光束の光路と、前記第２光源から前記第２光情報記録媒体までの前記第２光束の光路は、部分的に共通となっており、
前記第１立ち上げミラーは、前記第１光束と前記第２光束の共通光路に配置され、前記第１光束を反射し、前記第２光束を透過し、
前記第２立ち上げミラーは、前記第２光束の専用光路に配置され、前記第１立ち上げミラーを透過した前記第２光束を反射することを特徴とする。【００１２】
本発明と異なり、共通光路に第２光束用の立ち上げミラーを配置し、立ち上げミラーで反射された第２光束が第２対物レンズに入射し、第１光束は当該立ち上げミラーを透過する構成の光ピックアップ装置の場合、第１光束の一部が当該立ち上げミラーで反射してしまい、第２対物レンズに入射してしまう恐れがあった。本発明によれば、第１光源から出射された第１光束は、共通光路を通り、まず第１立ち上げミラーで反射されるため、第２対物レンズに入射する第１光束はほとんどなくなり、第２対物レンズを安価なプラスチックで形成しても、長時間の劣化が抑制され、光ピックアップ装置の耐久性を確保できる。【００１３】
尚、第１光情報記録媒体としては、ＢＤ又はＨＤがあり、第２光情報記録媒体としては、ＤＶＤ又はＣＤがあるが、第１対物レンズを、ＢＤとＨＤの互換用として共通に用いることもできる。【００１４】
請求の範囲第２項に記載の光ピックアップ装置は、請求の範囲第１項に記載の発明において、前記第２立ち上げミラーは、前記第１光束を透過することを特徴とする。この構成によって、万一、第１立ち上げミラーを、第１光束の一部が透過したとしても、透過してしまった第１光束は、第２立ち上げミラーで透過され、反射されることがない。従って、第２対物レンズに入射する第１光束をさらに低減することが可能となる。【００１５】
請求の範囲第３項に記載の光ピックアップ装置は、請求の範囲第１項又は第２項に記載の発明において、前記第２対物レンズを構成する材料は、波長４０５ｎｍの光束による軸上厚３ｍｍでの透過率が８５％未満であることを特徴とする。
第２対物レンズを構成する材料は、従来からＣＤ／ＤＶＤ用プラスチック対物レンズで用いられているプラスチック（特に好ましくはポリオレフィン系プラスチック）を好ましく用いることができる。また、第２対物レンズを構成する材料は、波長λ２の第２光束による軸上厚３ｍｍでの透過率が８５％以上であることが好ましい。【００１６】
請求の範囲第４項の光ピックアップ装置は、請求の範囲第１項乃至第３項のいずれか一項に記載の発明において、前記第１対物レンズを構成する材料は、波長４０５ｎｍの光束による軸上厚３ｍｍでの透過率が８５％以上であることを特徴とする。第１対物レンズを構成する材料は、ガラスや、青紫色レーザ光に対して高い透過率及び耐性を有するプラスチックが好ましく用いられる。波長４０５ｎｍの光束を２４時間以上連続照射しても、透過率が５％以上低下しないような材料であることがより好ましい。【００１７】
請求の範囲第５項の光ピックアップ装置は、請求の範囲第１項乃至第４項のいずれか一項に記載の発明において、前記第２光束の波長λ２は、５５０ｎｍ≦λ２≦６８０ｎｍの範囲内であり、更に波長λ３（７５０ｎｍ≦λ３≦８２０ｎｍ）の第３光束を射出する第３光源を有し、前記第２対物レンズは光路差付与構造を有し、前記第２光束を前記第２光情報記録媒体の情報記録面上に集光すると共に、前記第３光束を第３光情報記録媒体の情報記録面上に集光することを特徴とする。
かかる場合、第２光情報記録媒体がＤＶＤであり、第３光情報記録媒体がＣＤとなり、これらと高密度光ディスクとに対して互換可能に情報の記録／再生を行うことができる。なお、本願でいう光路差付与構造とは、入射光束に対して光路差を付加する構造の総称である。光路差付与構造には、位相差を付与する位相差付与構造も含まれる。また、位相差付与構造には回折構造が含まれる。光路差付与構造は、段差を有し、好ましくは段差を複数有する。この段差により入射光束に光路差及び／又は位相差が付加される。光路差付与構造により付加される光路差は、入射光束の波長の整数倍であっても良いし、入射光束の波長の非整数倍であっても良い。段差は、光軸垂直方向に周期的な間隔をもって配置されていてもよいし、光軸垂直方向に非周期的な間隔をもって配置されていてもよい。
請求の範囲第５項の発明では、光路差付与構造が、第２光束と第３光束の波長の差を利用して、第２光情報記録媒体と第３光情報記録媒体の透明基板の厚さの差に基づいて発生する球面収差を低減するような性質を有しており、当該性質を利用して互換を可能とすることが好ましい。【００１８】
請求の範囲第６項の光ピックアップ装置は、請求の範囲第１項乃至第５項のいずれかに一項に記載の発明において、前記第１対物レンズと前記第２対物レンズは別体であることを特徴とする。【００１９】
請求の範囲第７項の光ピックアップ装置は、請求の範囲第１項乃至第５項のいずれか一項に記載の発明において、前記第１対物レンズと第２対物レンズは一体化されていることを特徴とする。
ここでいう「一体化」には、第１対物レンズと第２対物レンズをそれぞれ別に製造し、後で、接着や嵌合などにより一体化する態様が含まれる。一方、第１対物レンズと第２対物レンズを同一材料で一体成形するような態様は含まれない。【００２０】
請求の範囲第８項の光ピックアップ装置は、請求の範囲第１項乃至第７項のいずれか一項に記載の発明において、コリメートレンズが、前記第１光束と前記第２光束の共通の光路内に設けられていることを特徴とする。【００２１】
請求の範囲第９項の光ピックアップ装置は、請求の範囲第８項に記載の発明において、前記第１光源と前記コリメートレンズとの間に設けられ、前記第１光束の一部を透過するミラーと、前記ミラーの背後に配置され、前記ミラーを透過した第１光束を受光するモニタと、を有することを特徴とする。
このようなミラー及びモニタを設けることにより、光ピックアップ装置をコンパクトな構成にすることができる。尚、「ミラーの背後」とは、第１光束を反射する反射面と逆側を意味する。【００２２】
本願において、対物レンズとは、狭義には光ピックアップ装置に光情報記録媒体を装填した状態において、最も光情報記録媒体側の位置で、これと対向すべく配置される集光作用を有するレンズを指し、広義にはそのレンズと共に、アクチュエータによって少なくともその光軸方向に作動可能なレンズ群を指すものとする。
【発明の効果】
【００２３】
本発明に係る光ピックアップ装置によれば、異なる光情報記録媒体に対して情報の記録／再生を行うために、耐久性を維持しながらも、光学系の共通化を図ることができる。
【図面の簡単な説明】
【００２４】
【図１】光ピックアップ装置ＰＵ１の概略構成を示す斜視図である。
【図２】光ピックアップ装置ＰＵ１の概略構成を示す平面図である。
【図３】第１対物レンズと第２対物レンズの変形例を示す斜視図である。
【図４】第１対物レンズと第２対物レンズの別な変形例を示す斜視図である。
【図５】第１対物レンズと第２対物レンズの変形例を示す図である。
【図６】光ピックアップ装置ＰＵ２の概略構成を示す斜視図である。
【符号の説明】
【００２５】
ＣＯＬ  コリメートレンズ
ＣＴ２  切欠
ＤＰ  ダイクロイックプリズム
ＦＬ１  フランジ部
ＦＬ２  フランジ部
ＨＬ  開口
ＨＬ２  開口
ＬＤ１  半導体レーザ
ＬＤ２  半導体レーザ
Ｍ１  第１立ち上げミラー
Ｍ２  第２立ち上げミラー
ＭＭ  モニタミラー
ＯＢＪ１  第１対物レンズ
ＯＢＪ２  第２対物レンズ
ＯＥ  一体型光学素子
ＰＢＳ  偏光ビームスプリッタ
ＰＤ  光検出器
ＰＭ  パワーモニタ
ＰＵ１  光ピックアップ装置
ＰＵ２  光ピックアップ装置
ＱＷＰ  λ／４波長板
ＳＴ  段差部
ＳＴ２  段差部
【発明を実施するための最良の形態】
【００２６】
まず、本発明に係る第１の実施形態について図面を用いて説明する。尚、第１の本実施形態にかかる光ピックアップ装置ＰＵ１は、特に薄形の光ディスクドライブ装置に組み込むことが可能である。図１は、ＢＤ及びＤＶＤに対して情報の記録／再生が可能な光ピックアップ装置ＰＵ１の概略構成を示す斜視図である。図２は、光ピックアップ装置ＰＵ１を平面的に示した図である。【００２７】
光ピックアップ装置ＰＵ１は、２つの立ち上げミラーＭ１，Ｍ２を有している。第１立ち上げミラーＭ１は、半導体レーザＬＤ１から出射される第１光束と半導体レーザＬＤ２から出射される第２光束の共通光路に配置され（第１光束の光路と第２光束の光路は部分的に共通となっている）、ダイクロイック膜を被覆した反射面で第１光束を反射し、第２光束を透過する。第２立ち上げミラーＭ２は、第２光束の専用光路に配置され、第１立ち上げミラーＭ１を透過した第２光束をダイクロイック膜を被覆した反射面で反射する。また、第２立ち上げミラーのダイクロイック膜は、第１光束を透過する性質も有している。
第２対物レンズＯＢＪ２を構成する材料は従来からＣＤ／ＤＶＤ用対物レンズで用いられているポリオレフィン系のプラスチックであり、波長４０５ｎｍの光束による軸上厚３ｍｍでの透過率が８５％未満であり、波長６５５ｎｍの光束による軸上厚３ｍｍでの透過率が８５％以上である。一方、第１対物レンズＯＢＪ１を構成する材料は、波長４０５ｎｍの光束による軸上厚３ｍｍでの透過率が８５％以上の青紫色レーザ光に対して耐性を有するプラスチックである。
第１の本実施形態では、第１対物レンズＯＢＪ１と第２対物レンズＯＢＪ２とは別体である。尚、ダイクロイックプリズムＤＰから第１立ち上げミラーＭ１までが共通光路であり、第１立ち上げミラーＭ１から光ディスクまでが第２光束の専用光路となる。尚、第２対物レンズＯＢＪ２の位置は、光ディスクを装填した状態で光ピックアップ装置をディスク盤面に対して垂直方向から見た際に、光ディスクの中心と第２対物レンズの中心を結んだ線が、第２立ち上げミラーまでの光束の光路と直交するような位置であることが好ましい。即ち、図２において、第２対物レンズＯＢＪ２の位置が、ちょうどディスクの中央に相当する位置であることが好ましい。【００２８】
図１，２において、ＢＤに対して情報の記録／再生を行う場合、第１光源としての半導体レーザＬＤ１（３８０ｎｍ≦波長λ１≦４２０ｎｍ）を発光させる。半導体レーザＬＤ１から射出された光束は、ダイクロイックプリズムＤＰを通過し、偏光ビームスプリッタＰＢＳを通過し、コリメートレンズＣＯＬを通過して平行光束となる。そしてλ／４波長板ＱＷＰを通過し、第１立ち上げミラーＭ１で反射され、第１対物レンズ部ＯＢＪ１により集光される。その結果、ＢＤの保護層（厚さｔ１＝０．０３〜０．１３ｍｍ）を介してその情報記録面に集光され、情報記録面に集光スポットを形成する。【００２９】
情報記録面で情報ピットにより変調されて反射した光束は、再び第１対物レンズ部ＯＢＪ１を通過し、第１立ち上げミラーＭ１で反射され、λ／４波長板ＱＷＰ、コリメートレンズＣＯＬを通過し、偏光ビームスプリッタＰＢＳで反射され、光検出器ＰＤの受光面に入射する。そして光検出器ＰＤの出力信号を用いて、ＢＤに対して情報の記録／再生を行うことができる。【００３０】
一方、ＤＶＤに対して情報の記録／再生を行う場合、第２光源としての半導体レーザＬＤ２（ＤＶＤに対して情報の記録／再生を行う場合は、半導体レーザＬＤ２の波長λ２を「５５０ｎｍ≦λ２≦６８０ｎｍ」の範囲内とする）を発光させる。半導体レーザＬＤ２から出射された光束は、ダイクロイックプリズムＤＰで反射され、偏光ビームスプリッタＰＢＳを通過し、コリメートレンズＣＯＬを通過して平行光束となる。そしてλ／４波長板ＱＷＰ及び第１立ち上げミラーＭ１を通過し、第２立ち上げミラーＭ２で反射され、第２対物レンズ部ＯＢＪ２により集光される。その結果、ＤＶＤの保護層（厚さｔ２＝０．５〜０．７ｍｍ）を介してその情報記録面に集光され、情報記録面に集光スポットを形成する。【００３１】
情報記録面で情報ピットにより変調されて反射した光束は、再び第２対物レンズ部ＯＢＪ２を通過し、第２立ち上げミラーＭ２で反射され、第１立ち上げミラーＭ１、λ／４波長板ＱＷＰ、コリメートレンズＣＯＬを通過し、偏光ビームスプリッタＰＢＳで反射され、光検出器ＰＤの受光面に入射する。そして光検出器ＰＤの出力信号を用いて、ＤＶＤに対して情報の記録／再生を行うことができる。【００３２】
第１の本実施形態によれば、光路における位置に関して、第１立ち上げミラーＭ１の方が第２立ち上げミラーＭ２よりも光源に近い。また、第１立ち上げミラーＭ１は、青紫色レーザ光である第１光束を反射するミラーであるため、第１光束は、第１立ち上げミラーＭ１で反射される。従って、ＤＶＤ用の第２対物レンズＯＢＪ２に第１光束が入射してしまうことを防止できる。万一、第１光束の一部が、第１立ち上げミラーＭ１を透過したとしても、第２立ち上げミラーＭ２を、第１光束を透過し第２光束を反射するようなミラーとすることで、僅かに漏れ出た第１光束が第２立ち上げミラーＭ２で反射する事を防止できるため、さらに第２対物レンズＯＢＪ２に第１光束が入射する事を防止できる。【００３３】
一方、第２光束は、第１立ち上げミラーＭ１を透過するが、万一、第２光束の一部が第１立ち上げミラーＭ１で反射しても、第２光束が第１対物レンズＯＢＪ１の品質に与える影響は小さく、第１対物レンズＯＢＪ１がプラスチック製であっても、早期に劣化させるような事はない。【００３４】
図１、図２に示す光ピックアップ装置ＰＵ１では、第１対物レンズＯＢＪ１がＢＤ専用であり、第２対物レンズＯＢＪ２がＤＶＤ専用であるが、かかる組み合わせに限られない。第１対物レンズＯＢＪ１をＨＤ専用としても良く、或いはＢＤ／ＨＤ互換用としても良い。
また、第２対物レンズＯＢＪ２をＣＤ専用としても良い。ＣＤ専用とする場合は、半導体レーザＬＤ２の波長λ２を「７５０ｎｍ≦λ２≦８２０ｎｍ」の範囲内とする。
さらに、第２対物レンズＯＢＪ２をＤＶＤ／ＣＤ互換用としても良い。この場合、第２対物レンズＯＢＪ２の光学面に光路差付与構造としての回折構造を設け、且つ半導体レーザＬＤ２を２レーザ１パッケージとして、波長λ３（７５０ｎｍ≦λ３≦８２０ｎｍ）の第３光束も射出できる第３光源を更に備えるようにすると好ましい。第２光源としての半導体レーザＬＤ２の波長λ２は「５５０ｎｍ≦λ２≦６８０ｎｍ」の範囲内とする。第２対物レンズＯＢＪ２の光学面に光路差付与構造としての回折構造を設けることにより、第２光束はＤＶＤ上に集光すると共に、第３光束はＣＤ上に集光することが出来る。【００３５】
更に、第１の実施形態では、第１対物レンズＯＢＪ１と第２対物レンズＯＢＪ２とを別体としているが、嵌合や接着等により一体化しても良い。例えば図３に示すように、第２対物レンズＯＢＪ２は、矩形板状のフランジ部ＦＬ２を有する形態でもよい。かかる場合、フランジ部ＦＬ２に形成された開口ＨＬの段差部ＳＴに、別個に成形された第１の対物レンズＯＢＪ１が組み合わされる。これにより、第１の対物レンズＯＢＪ１はフランジ部ＦＬ２に保持される。第１対物レンズＯＢＪ１と第２対物レンズＯＢＪ２の有効径は、互いに略等しいことが望ましい。【００３６】
或いは図４に示すように、第２対物レンズＯＢＪ２が、その矩形板状のフランジ部ＦＬ２に段差部ＳＴ２を有する切欠ＣＴ２を形成する形態でも良い。かかる場合、切欠ＣＴ２内の段差部ＳＴ２に、フランジ部ＦＬ１を保持されるようにして、第１対物レンズＯＢＪ１が光軸直交方向から組み付けられ、接着等により一体化されて、第１対物レンズＯＢＪ１と第２対物レンズＯＢＪ２が並列になった一体型光学素子ＯＥを形成できる。【００３７】
尚、図４に示すように、切欠ＣＴ２内に段差部ＳＴ２を形成することなく、図５に示すように、第１の対物レンズＯＢＪ１のフランジ部ＦＬ１は、フランジ部ＦＬ２の上面で支持されても良い。或いは、図示していないが、第１対物レンズＯＢＪ１と第２対物レンズＯＢＪ２とを、別部材である保持部材（図３のフランジ部ＦＬ２と同様な矩形板状）に組み付けることで一体化しても良い。何れの場合も、保持部材が開口を有し、そこに対物レンズ部を嵌め込むように配置する事が好ましい。【００３８】
図６は、第２の実施形態にかかる光ピックアップ装置ＰＵ２の斜視図である。第２の実施形態においては、半導体レーザＬＤ１と、ダイクロイックプリズムＤＰやコリメートレンズＣＯＬとの間に、第１光束の一部を透過できるハーフミラー状のモニタミラーＭＭ（ミラー）を配置しており、更にモニタミラーＭＭの背後に、パワーモニタＰＭ（モニタ）を配置している。パワーモニタＰＭは、モニタミラーＭＭを透過した第１光束を受光し、その受光量に応じて半導体レーザＬＤ１の駆動制御を行うようになっている。【００３９】
第２の実施形態では、半導体レーザＬＤ１から出射された第１光束を、モニタミラーＭＭで鋭角に折り曲げているので、その背後に配置したパワーモニタＰＭによって、半導体レーザＬＤ１の出力の監視を行いつつも、光ピックアップ装置ＰＵ２をコンパクトな構成にすることができる。【００４０】
以上、本発明の実施形態を参照して説明してきたが、本発明は上記実施の形態に限定して解釈されるべきではなく、適宜変更・改良が可能であることはもちろんである。
【図１】
2008114549.tif 000003
【図２】
2008114549.tif 000004
【図６】
2008114549.tif 000005
【図３】
2008114549.tif 000006
【図４】
2008114549.tif 000007
【図５】
2008114549.tif 000008
【国際調査報告】
2008114549.tif 000009
2008114549.tif 000010
2008114549.tif 000011
2008114549.tif 000012